(57)【要約】【課題】  記録画像を動画ごと、静止画ごとにインデックス表示し、表示画面内の操作で動画と静止画を選択する場合に、動画モードと静止画モードを切り替えてもアイコンやキャラクター、画面の輝度が変動することがなくなるようにする。【解決手段】  液晶パネル駆動回路（４２）は、動画再生のフル画面表示では動画モードの階調特性を液晶パネル（１８）に適用し、静止画再生のフル画面表示では、静止画モードの階調特性を液晶パネル（１８）に適用する。記録媒体（３８）に記録される画像を動画ごと静止画ごとにインデックス表示し、表示画面内の操作で動画再生又は静止画再生を選択する場合、液晶パネル駆動回路（４２）は、同じ階調特性を液晶パネル（１８）に適用する。【選択図】  図１
2010147832.tif 000002
【特許請求の範囲】
【請求項１】
動画モードと静止画モードを有する撮像装置であって、
画像表示手段と、
前記画像表示手段で画像表示すべき画像信号の階調を制御する信号処理手段であって、前記動画モードのフル画面表示では動画モードの階調特性を適用し、静止画モードのフル画面表示では、静止画モードの階調特性を適用し、記録画像を動画ごと静止画ごとにインデックス表示し、表示画面内の操作で動画または静止画を選択する画面表示では、動画と静止画の何れの選択にかかわらず同じ階調特性を適用する信号処理手段
とを具備することを特徴とする撮像装置。
【発明の詳細な説明】
【技術分野】
【０００１】
本発明は、撮像装置に関し、より具体的には、動画撮影と静止画撮影に対応する撮像装置に関する。
【背景技術】
【０００２】
画像表示装置では、一般に、静止画に好適な階調補正特性と、動画に好適な階調補正特性とが異なる。そこで、静止画を扱う場合と、動画を扱う場合とで、それぞれに適した階調補正が採用される。例えば、静止画撮影と動画撮影の両方に対応するビデオカメラでは、静止画モードと動画モードでそれぞれに好適な階調補正が行われる。
【０００３】
特許文献１には、表示画像が動画か静止画かを判定し、それぞれに最適な画像処理を行う画像表示装置が記載されている。
【特許文献１】特開２００４−０３２２０７号公報
【発明の開示】
【発明が解決しようとする課題】
【０００４】
表示画面の一部を動画又は静止画を表示する画像表示エリアとし、残りの部分又はその一部を表示メニュー又は操作メニュー等を表示する情報表示・操作エリアとする画面構成に従来の方法を適用すると、不都合がある。例えば、撮像装置で、静止画モードから動画モードに、又はその逆に動作モードを切り替えた場合、情報表示・操作エリアの表示画像の階調が瞬時に変動することになり、観察者に違和感を与える。
【０００５】
本発明は、このような階調変動を生じない撮像装置を提示することを目的とする。
【課題を解決するための手段】
【０００６】
本発明に係る撮像装置は、動画モードと静止画モードを有する撮像装置であって、画像表示手段と、前記画像表示手段で画像表示すべき画像信号の階調を制御する信号処理手段であって、前記動画モードのフル画面表示では動画モードの階調特性を適用し、静止画モードのフル画面表示では、静止画モードの階調特性を適用し、記録画像を動画ごと静止画ごとにインデックス表示し、表示画面内の操作で動画又は静止画を選択する画面表示では、動画と静止画の何れの選択にかかわらず同じ階調特性を適用する信号処理手段とを具備することを特徴とする。
【発明の効果】
【０００７】
本発明によれば、記録画像を動画ごと、静止画ごとにインデックス表示し、表示画面内の操作で動画と静止画を選択する場合に、動画モードと静止画モードを切り替えてもアイコンやキャラクター、画面の輝度が変動することがなくなる。
【発明を実施するための最良の形態】
【０００８】
以下、図面を参照して、本発明の実施例を詳細に説明する。
【０００９】
図１は、本発明の一実施例である撮像装置の外観斜視図を示す。カメラ本体１０の前部に撮影レンズ１２を有し、側面には、２軸のヒンジ部１４により液晶表示部１６が取り付けられている。液晶表示部１６は、カメラ本体１０に対し、ヒンジ部１４の開閉軸を中心に開閉自在であり、かつこの開閉軸に対して直交する回動軸を中心に回動自在である。すなわち、液晶表示部１６は、表示画面をカメラ本体１０に向けてカメラ本体１０に密接させた収納位置と、表示画面を外側に向けてカメラ本体１０に密接させた表示収納位置を取ることができる。また、液晶表示部１６をカメラ本体１０に対して開いた状態では、カメラ本体１０の背後方向に表示面を向けた位置と、被写体側に向けた位置との間で回転自在である。
【００１０】
液晶表示部１６は、再生映像や撮影映像を表示可能な液晶パネル１８を有する。液晶表示部１６の、液晶パネル１８の表示面の枠部分に、記録／再生切替えスイッチ２０と、十字操作キー２２を配置してある。液晶パネル１８は、図示しないバックライトにより、背面から照明されている。十字操作キー２２は、上下左右に操作自在であり、本装置の設定を表示画面上で行うためのメニュー操作時や再生操作時に使用される。記録／再生切替えスイッチ２０は記録モードと再生モードを切り替えるスイッチである。
【００１１】
電池２４はカメラ本体１０に脱着可能な二次電池である。電源スイッチ２６は、カメラ本体１０の電源をオン／オフ操作する切替えスイッチである。モード切替えスイッチ２８は、記録モードの内の、動画モードと静止画モードを切り替える切替えスイッチである。また、録画ボタン３０は、撮影のスタート/ストップを行うスイッチである。
【００１２】
図２は、本実施例の概略構成ブロック図を示す。映像音声入力部３２は、撮像手段と音声入力手段からなり、撮影した映像信号と周囲の音声信号を映像音声信号処理部３４に供給する。映像音声信号処理部３４は、映像音声入力部３２からの映像信号にビデオカメラで周知のカメラ信号処理を施し、音声信号にはノイズ音や風切り音の除去等の処理を施す。記録再生部３６は、映像音声信号を記録媒体３８に記録再生する。映像信号のカメラ信号処理には、γ補正、色バランス調整及び色変換等がある。
【００１３】
システム制御回路４０は、電源スイッチ２６、モード切替えスイッチ２８、録画ボタン３０、記録／再生切替えスイッチ２０及び十字操作キー２２の操作状況に応じて各部を統括的に制御する。システム制御回路４０はまた、電池２４による各部への給電を個別に制御する。
【００１４】
システム制御回路４０は、映像音声信号処理部３４からの映像信号、又は、記録再生部３６からの再生映像信号に種々の情報を重畳した映像信号を液晶パネル駆動回路４２に供給する。例えば、画面の一部を動画又は静止画を表示する画像表示エリアとし、残り又はその一部を表示メニュー又は操作メニュー等を表示する情報表示・操作エリアとする画面構成の映像信号を生成する。このような機能は、周知のＯＳＤ（On-Screen Display）により容易に実現できる。このように生成された映像信号が、液晶パネル駆動回路４２に供給される。液晶パネル駆動回路４２は、システム制御回路４０からの映像信号に後述する階調補正を施して液晶パネル１８を駆動し画像を表示させる。
【００１５】
本実施例の動画モードでの基本動作を説明する。電源スイッチ２６を押すことで、カメラ本体１０に電源が供給される。モード切替えスイッチ２８を操作し、動画モードか静止画モードを設定する。映像音声入力部３２の撮像素子が、撮影レンズ１２を介して入射する被写体の光学像を電気画像信号に変換し、映像音声信号処理部３４が、映像音声入力部３２からの画像信号に周知のカメラ信号処理を施す。システム制御回路４０は、映像音声信号処理部３４の出力映像信号をモニタ用に、液晶パネル駆動回路４２に供給する。液晶パネル駆動回路４２は、システム制御回路４０からの映像信号に従って液晶パネル１８を駆動する。これにより、撮影者は、撮影レンズ１２の視野内の画像を液晶パネル１８の表示画面上で確認できる。
【００１６】
撮影者が録画ボタン３０を押すと、映像音声入力部３２のマイクが周囲の音声を取込み、その音声信号を映像音声信号処理部３４に供給する。映像音声信号処理部３４は、映像音声入力部３２からの映像信号と音声信号を記録再生部３６に供給する。記録再生部３６は、映像音声信号処理部３４からの映像信号と音声信号を記録用に処理して、記録媒体３８に記録する。
【００１７】
静止画モードでは、音声が記録されないこと、映像音声信号処理部３４が、１フレームの画像信号を記録再生部３６に供給することが、動画モードとは異なる。勿論、液晶パネル１８をビューファインダとして使用し、撮影準備中又は撮影中の被写体像をモニタする場合の、映像音声信号処理部３４のγ補正特性は、動画の場合と、静止画の場合とで異なる。
【００１８】
図３を参照して、記録モードでの液晶パネル駆動回路４２の動作を詳細に説明する。図３は、動画モードと静止画モードでの液晶表示部１６の階調特性、すなわち、入力信号レベルに対する液晶パネル１８上の輝度レベルの特性を示す。本来は、動画像がカラー受像管上で再生表示されるのに対し、静止画は，印画紙上に印刷されて表示される。この相違により、液晶パネルで表示する場合、同じ信号レベルであっても、図３に示すように、動画に比べて静止画の輝度を下げることで、両者をより自然に鑑賞できるようになる。本実施例では、液晶パネル駆動回路４２は、動画モードでは図３の階調特性５０で液晶パネル１８を駆動し、静止画モードでは図３の階調特性５２で液晶パネル１８を駆動する。
【００１９】
システム制御回路４０からの映像信号の画面構成が、表示画面の一部を動画又は静止画を表示する画像表示エリアとしている場合には、液晶パネル駆動回路４２は、その画像表示エリアの映像信号部分に対して、動画か静止画かによる階調特性の切替えを適用する。そして、液晶パネル駆動回路４２は、画像表示エリア以外の情報表示・操作エリアに対しては、動画モードか静止画モードかにかかわらず、静止画用の階調特性を適用する。勿論，表示画面の全部を動画又は静止画を表示する画像表示エリアとしている場合には、液晶パネル駆動回路４２は、画面全体に対して、動画か静止画かによる階調特性の切替えを適用する。
【００２０】
再生モードでの液晶パネル駆動回路４２の動作を説明する。ユーザが記録/再生切替えスイッチ２０により再生モードを指定すると、システム制御回路４０は、再生インデックス表示モードになり、記録媒体３８の記録画像（動画／静止画）の代表画像又はサムネイル画像の一覧を液晶パネル１８に表示する。動画の代表画像は、当該動画から切出された静止画又は短時間の動画である。再生インデックス表示では、ユーザは、十字操作キー２２により表示画面内の動画タブ／静止画タブを選択することで、図４に示すように、動画の一覧と静止画の一覧を選択できる。これはまた、動作再生モードと静止画再生モードの切り替えにも相当する。
【００２１】
再生インデックス表示モードでは、液晶パネル駆動回路４２は、動作再生モードと静止画再生モードの何れであっても、動画モードの階調特性５０を液晶パネル１８に同じ階調特性を適用する。例えば，図３に示す階調特性５０、同５２、又は、その他の階調特性を適用する。これにより、動画タブ／静止画タブの選択切替えによっても、表示内容を除いて、アイコンやキャラクタ等の画面の見た目の輝度が変動することが無い。
【００２２】
再生インデックス表示内の代表画像を選択決定すると、システム制御回路４０は、選択した画像をフル画面で液晶パネル１８に表示する。動画をフル画面表示する場合、液晶パネル駆動回路４２は、階調特性５０を液晶パネル１８に適用する。静止画をフル画面表示する場合、液晶パネル駆動回路４２は、階調特性５２を液晶パネル１８に適用する。
【００２３】
以上、本発明の好ましい実施例を説明したが、本発明は上述の実施例に限定されず、その要旨の範囲内で種々の変形及び変更が可能である。
【図面の簡単な説明】
【００２４】
【図１】本発明の一実施例の外観斜視図である。
【図２】本実施例の概略構成ブロック図である。
【図３】本実施例の液晶パネルの階調特性例である。
【図４】本実施例の再生インデックス表示の一例である。
【符号の説明】
【００２５】
１０：カメラ本体
１２：撮影レンズ
１４：ヒンジ部
１６：液晶表示部
１８：液晶パネル
２０：記録／再生切替えスイッチ
２２：十字操作キー
２４：電池
２６：電源スイッチ
２８：モード切替えスイッチ
３０：録画ボタン
３２：映像音声入力部
３４：映像音声信号処理部
３６：記録再生部
３８：記録媒体
４０：システム制御回路
４２：液晶パネル駆動回路
【図１】
2010147832.tif 000003
【図２】
2010147832.tif 000004
【図３】
2010147832.tif 000005
【図４】
2010147832.tif 000006